(57)【要約】【課題】募金活動は災害における被災者への募金や交通遺児のための募金など多種多様であるが、通常、募金者は街頭やテレビ、新聞を通じて募金活動を行っている特定の募金団体の存在しか知ることができない。【解決手段】募金者が様々な募金団体に募金したいと思った場合、ネットワークを介して個々の募金先への募金をおこなうことができる募金システムを提供する。【選択図】図1
2015162007.tif 000002
【特許請求の範囲】
【請求項１】
募金を行おうとする複数の第１のユーザ端末と、募金を必要とする複数の第２のユーザ端末と、実行募金先と金額が入力される前記第１のユーザ端末の各々に対応する第１のマイページ、希望募金額と活動報告が入力される前記第２のユーザ端末の各々に対応する第２のマイページ、及び広告主の広告を掲載する複数の広告主バナーを作成する運営サイトサーバと、を備え、前記運営サイトサーバは前記第１のマイページ、及び前記第２のマイページの内容に基づき、前記第２のユーザ端末に入力された前記希望金額に達した場合には、前記第１のユーザ端末に入力された前記金額の合計金額を確定募金として、前記希望金額に達した前記第２のユーザ端末に前記確定募金を送付し、前記確定募金をした前記第１のユーザ端末に前記確定募金を受けた前記第２のユーザ端末の前記活動報告を送付し、前記確定募金をした前記第１のユーザ端末に希望に応じて前記広告主バナーのサービスを提供することを特徴とする募金システム。
【請求項２】
前記第１のユーザ端末は前記運営サイトサーバより募金ポイントをあらかじめ購入し、
前記募金ポイントに基づき前記第２のマイページに募金を行うことを特徴とする請求項１記載の募金システム。
【発明の詳細な説明】
【技術分野】
【０００１】
本発明はインターネット回線を介して募金を行う募金システムに関する。
【背景技術】
【０００２】
募金活動は災害における被災者への募金や交通遺児のための募金など多種多様であるが、通常、募金者は街頭やテレビ、新聞を通じて募金活動を行っている特定の募金団体の存在しか知ることができない。そして、本来ならば、募金者は様々な募金団体の趣旨を知り、本当に自分の意図する団体に募金したいと思っているが、それらの情報を一括入手することができないために、積極的に募金ができないということが一般的である。また、従来から行われている募金活動は、主に募金者が直接募金箱に現金を入れるか、各募金団体の指定口座へ自分で振り込む方法によって行われている。しかし、募金者が街頭で、募金したい団体に都合よく出会うことは稀であり、また、テレビや新聞を通じて知った募金団体が設置した募金箱を探すことも募金者にとって負担となる。
【０００３】
そこで、近年ではインターネットの普及に伴い、募金者が複数の募金活動を運営しているサイトにアクセスして各種募金機関へ募金を行うインターネット回線を介する募金システムが提案されている。（特許文献１参照）。これは、募金者が募金運営サイトにアクセスし、多数の募金先情報を知り、自分が本当に募金したい募金先へインターネットを介して募金が実行される募金システムである。
【先行技術文献】
【特許文献】
【０００４】
【特許文献１】特開2002-230232号公報
【発明の概要】
【発明が解決しようとする課題】
【０００５】
しかしながら、募金者がインターネットを介して募金運営サイトにアクセスし募金を行う方法では、募金した後に募金者に募金先への実募金額は公開されるが、募金先が自らの募金を用いてどのような活動を行ったのか、募金の使い道の情報を得ることができず、自分の募金が正当に用いられたか否かが募金者にとって不明瞭であった。また、募金者は様々な募金団体に募金したいと思った場合、そのたびにネットワークを介して個々の募金先への募金を振り込むという現金を扱う機会が多くなり煩雑な手間があった。
このような従来の課題を考慮して、本発明は、募金者の負担を軽減させ、信用性の高い募金を行うことを可能とする募金システムを提供することを課題とするものである。
【課題を解決するための手段】
【０００６】
上述した課題を解決するために、本発明の第１の募金システムは、募金を行おうとする複数の第１のユーザ端末と、募金を必要とする複数の第２のユーザ端末と、実行募金先と金額が入力される前記第１のユーザ端末の各々に対応する第１のマイページ、希望募金金額と活動報告が入力される前記第２のユーザ端末の各々に対応する第２のマイページ、及び広告主の広告を掲載する複数の広告主バナーを作成する運営サイトサーバと、を備え、前記運営サイトサーバは前記第１のマイページ、前記第２のマイページの内容に基づき、前記第２のユーザ端末に入力された前記希望金額に達した場合には、前記第１のユーザ端末に入力された前記金額の合計金額を確定募金として、前記希望金額に達した前記第２のユーザ端末に前記確定募金を送付し、前記確定募金をした前記第１のユーザ端末に前記確定募金を受けた前記第２のユーザ端末の前記活動報告を送付し、前記確定募金をした前記第１のユーザ端末に希望に応じて前記広告主バナーのサービスを提供するものである。
また、本発明の第２の募金システムは、第１の募金システムにおいて前記第１のユーザ端末が前記運営サイトサーバより募金ポイントをあらかじめ購入し、前記募金ポイントに基づき前記第２のマイページに募金を行うことが特徴である。
【発明の効果】
【０００７】
本発明によれば、募金者のユーザ端末へ、募金を受けた募金先が募金を用いた活動報告を運営サイトサーバを介して送付することで、募金者は自らの行った募金が正当に用いられたか否かを明瞭に把握することができる。更に希望する広告主からサービスを受けることができ、募金のインセンティブにつながるものである。
また、本発明によれば、募金者があらかじめ運営サイトからまとめて募金ポイントを購入し募金を行うことで、運営サイトへの現金振込を一度で済ませることができ、募金の度に振り込む、現金を扱う手間を軽減することができる。
【図面の簡単な説明】
【０００８】
【図１】本発明の実施の形態に係る募金システムの基本構成を示した図。
【図２】本発明の実施の形態に係る募金先ユーザ端末４１〜４３に各々対応する募金先マイページ５１〜５３に記載される項目を示した図
【図３】本発明の実施の形態に係る募金者ユーザ端末２１〜２３に各々対応する募金者マイページ３１〜３３に記載される項目を示した図
【図４】本発明の実施の形態に係る募金先ユーザ端末４１〜４３が行うフローを示した図
【図５】本発明の実施の形態に係る運営サイトサーバ１が募金先ユーザ端末４１〜４３に対して行うフローを示した図
【図６】本発明の実施の形態に係る運営サイトサーバ１が募金者ユーザ端末２１〜２３に対して行うフローを示した図
【図７】本発明の実施の形態に係る運営サイトサーバ１が広告主に関して行うフローを示した図
【図８】本発明の実施の形態に係る募金者ユーザ端末２１〜２３が行うフローを示した図
【発明を実施するための形態】
【０００９】
以下、本発明の実施の形態を、図面を用いて説明する。図１は、本発明の実施の形態に係る募金システムの基本構成を示す図である。図１において、１は運営サイトサーバ、２１〜２３は募金者ユーザ端末、３１〜３３は募金者ユーザ端末に各々対応するマイページ、４１〜４３は募金先ユーザ端末、５１〜５３は募金先ユーザ端末に各々対応するマイページ、６１〜６３は広告主バナーである。
図２は、本発明の実施の形態に係る募金先ユーザ端末４１〜４３に各々対応する募金先マイページ５１〜５３に記載される項目を示す図である。図３は、本発明の実施の形態に係る募金者ユーザ端末２１〜２３に各々対応する募金者マイページ３１〜３３に記載される項目を示す図である。以下、操作手順に従って説明する。
【００１０】
（募金先操作１）
図１において、本システムにおける運営サイトサーバ１に募金先として掲載希望の募金先依頼者は、運営サイトサーバ１に申請を行う。具体的には、図２に示す人物（あるいは企業や団体）の情報、募金利用目的、希望募金総額、募金有効期限の情報を送付し、依頼申請を行う。図２の例では、団体名称は福祉○○ホーム、募金利用目的は介護機器購入、希望募金総額は５００万円、募集有効期限は３年間を示す。
【００１１】
（運営サイトサーバ操作２）
上記送付された掲載希望の募金先情報を基に、運営サイトサーバ１は募金先依頼者の妥当性と信頼性を審査する。妥当と判断した場合、募金先ユーザ端末４１〜４３として採用する。
【００１２】
（募金先操作３）
上記募金先ユーザ端末４１〜４３として採用された募金先依頼者は、図２に示すような人物（或いは企業や団体）情報、募金利用目的、希望募金総額、募集有効期限、現在の募金総額と募金者総数等の募金先情報を運営サイトサーバ１に送る。
【００１３】
（運営サイトサーバ操作４）
運営サイトサーバ１は、上記送付された情報を基に募金先ユーザ端末４１〜４３に対応する募金先ユーザマイページ５１〜５３を作成する。
【００１４】
（募金者操作５）
一方、募金希望者は運営サイトサーバ１にアクセスし募金先ユーザマイページ５１〜５３を閲覧し、様々な募金団体の存在と各々の活動内容等の情報を得、自分の募金したい団体があった場合、運営サイトサーバ１に名前や生年月日などの個人情報を送り、募金者ユーザ端末２１〜２３となる申請を行う。
【００１５】
（運営サイトサーバ操作６）
運営サイトサーバ１は、上記送付された情報を基に募金者ユーザ端末２１〜２３に対応する図３に示すような個人情報、募金履歴、募金先の活動報告、ポイント残高、希望募金先等の項目を記載した募金者ユーザマイページ３１〜３３を作成する。図３の例では、個人情報は日本太郎、○年○月○日生まれ、募金履歴は平成２５年○月○老人ホームに２００万円、募金先の活動報告は○○ホームの平成２５年度活動報告、ポイント残高は３００万ポイント、新たな希望募金先は、△△ホームに２００万ポイントを示している。
【００１６】
（募金者操作７）
次に、各募金者ユーザ端末２１〜２３は、運営サイトサーバ１より募金ポイントを購入する。図３の例では１ポイント１円と設定している。
【００１７】
（運営サイトサーバ操作８）
運営サイトサーバ１は募金者ユーザ端末２１〜２３が募金ポイントを購入したことを確認したのち、募金者ユーザマイページ３１〜３３にポイント残高を入力する。図３の例では、募金者ユーザが３００万円で３００万ポイントを購入し、現在保有していることを示している。
【００１８】
（募金者操作９）
次に、各募金者ユーザ端末２１〜２３は、募金先ユーザマイページ５１〜５３のうち、募金をしたい希望募金先名と、希望募金ポイントを自分の募金者ユーザマイページ３１〜３３における新たな希望募金先欄に入力する。図３の例では、△△ホームへ２００万円募金希望であることを示している。
【００１９】
（運営サイトサーバ操作１０）
運営サイトサーバ１は、上記募金者ユーザ端末２１〜２３が新たな希望募金先名と希望募金ポイントを入力したことを確認し、対応する募金先ユーザマイページ５１〜５３に記載されている希望募金総額と募集有効期限との情報が一致した場合に、募金者ユーザ端末２１〜２３から募金先ユーザ端末４１〜４３への募金を行うこととし、希望募金ポイントを徴収する。そして、運営サイトサーバ１は、募金を行った募金者ユーザマイページ３１〜３３に募金後のポイント残高、募金履歴を入力し、同時に、対応する募金先ユーザマイページ５１〜５３に現在の募金総額と募金者総数を入力し募金先マイページ５１〜５３の情報更新を行う。
そして、募金先ユーザマイページ５１〜５３に入力されている希望募金総額あるいは募集有効期限に達した時、運営サイトサーバ１は対応する募金先への募金者の募金を打ち切り、上記募金先ユーザ端末４１〜４３へ、集まった募金を確定募金として送金する。
【００２０】
（募金先操作１１）
更に、本システムでは運営サイトサーバシステム経営維持のため、募金を受け取った募金先ユーザ端末４１〜４３は、運営サイトサーバ１に対して、集まった確定募金の一定率の金額を送金する。そして、募金先ユーザ端末４１〜４３は、受け取った確定募金を用いた活動報告を随時運営サイトサーバ１に送る。
【００２１】
（運営サイトサーバ操作１２）
更に、運営サイトサーバ１は、募金を行った募金者ユーザ端末２１〜２３に対応する募金者ユーザマイページ３１〜３３に確定募金を受け取った募金先ユーザ端末４１〜４３の活動報告を送付する。このことで、活動報告を受け取った募金者ユーザ端末２１〜２３は、自らの行った募金が正当に用いられたか否かを明瞭に把握することができ、今後の募金者のインセンティブにつながることとなる。
【００２２】
（広告主操作１３）
一方、広告主は、運営サイトサーバ１に掲載してほしい広告情報を運営サイトサーバ１に送付する。
【００２３】
（運営サイトサーバ操作１４）
運営サイトサーバ１は、広告情報の妥当性と信頼性を審査し、妥当と判断した場合、運営サイトに掲載する広告主として採用し、これらの広告主の広告情報を広告主バナー６１〜６３に掲載する。
【００２４】
（広告主操作１５）
次に、広告主は運営サイトサーバ１に景品を預ける。例えば、広告主が旅行会社の場合、期間中合計募金総額が１０万円以上の募金者ユーザ端末２１〜２３に対して１０００円のクーポン券をあげる等の景品提供をする。
【００２５】
（募金者操作１６）
募金を行った募金者ユーザ端末２１〜２３は、運営サイトサーバ１に掲載されている広告主バナーのうち、希望する広告主を選択し、運営サイトサーバ１より景品を獲得する。募金を行うことで、希望広告主からの景品を獲得することができ、今後の募金者のインセンティブにつながることとなる。
【００２６】
次に、具体的流れを説明する。図４は本発明の実施の形態に係る募金先ユーザ端末４１〜４３が行うフローを示す図である。同図において、募金先として運営サイトサーバ１に掲載希望の募金依頼者は、依頼申請をする（フローＡ）。そして、募金依頼者の妥当性と信頼性を判断する運営サイトサーバ１の審査の後、募金先ユーザ端末４１〜４３として採用された場合、募金先ユーザマイページ５１〜５３の作成のために、図２に示す人物（あるいは企業や団体）の情報、募金利用目的、希望募金総額、募集有効期限、現在の募金総額と募金者総数等の募金先情報を運営サイトサーバ１へ送付する（フローＢ）。更に、図２に示す希望募金総額、もしくは募集有効期限に到達した場合、運営サイトサーバ１から確定募金が送付される（フローＣ）。そして、本システムでは運営サイトサーバシステム経営維持のために、確定募金を受け取った募金先ユーザ端末４１〜４３は、運営サイトサーバ１に対して、集まった確定募金の一定率の金額を送金する（フローＤ）。その後、募金先ユーザ端末４１〜４３は送付された確定募金を用いて行った活動報告を運営サイトサーバ１へ送付する（フローＥ）。
【００２７】
図５は本発明の実施の形態に係る運営サイトサーバ１が募金先ユーザ端末４１〜４３に対して行うフローを示す図である。同図において、運営サイトサーバ１は、運営サイトサーバ１に掲載希望の募金先依頼者の信頼性と希望募金金額の妥当性を審査する（フローＡ）。妥当と判断した場合、募金先ユーザ端末４１〜４３より図２に示す人物（あるいは企業や団体）の情報、募金利用目的、希望募金総額、募金有効期限、現在の募金総額と募金者総数等の情報を受け取り、募金先ユーザマイページ４１〜４３を作成する（フローＢ）。次に、募金が行われる度に募金先ユーザマイページ４１〜４３に記載の募金総額や募金者総数を随時更新する（フローＣ）。そして、図２記載の希望募金総額あるいは募金有効期限に到達した時点で、募金を打ち切り、対応する募金先ユーザ端末へ確定募金を送付する（フローＤ）。また、本システムでは運営サイトサーバシステム経営維持のために、運営サイトサーバ１は、確定募金を受け取った募金先ユーザ端末４１〜４３から、集まった確定募金総額の一定率の金額を徴収する（フローＥ）。そして、確定募金を受けた募金先ユーザ端末４１〜４３から、確定募金を用いて行った活動報告を受け取る（フローＦ）。
【００２８】
図６は運営サイトサーバ１が募金者ユーザ端末２１〜２３に対して行うフローを示す図である。同図において、運営サイトサーバ１は、募金希望の申請のあったユーザから送付された名前や生年月日などの個人情報を基に、募金者ユーザ端末２１〜２３として採用し、図３に示すような個人情報、募金履歴、募金先の活動報告、ポイント残高、新たな希望募金先等の項目を記載した募金者ユーザマイページ３１〜３３を作成する（フローＡ）。次に、募金者ユーザ端末２１〜２３から募金ポイントの購入依頼があった場合、希望募金ポイントを売却して付与し、募金者ユーザマイページ３１〜３３におけるポイント残高に保有ポイントを入力する（フローＢ）。そして、募金者ユーザ端末２１〜２３が図３に示す新たな希望募金先欄に希望募金先名と希望募金ポイントを入力したことを確認し、対応する募金先ユーザマイページ５１〜５３に記載されている希望募金総額と募集有効期限との情報が一致した場合、希望募金ポイントを徴収し、募金者ユーザマイページ３１〜３３に募金履歴とポイント残高を入力し随時更新する（フローＣ）。更に、募金を行った募金者ユーザ端末２１〜２３の確定募金を用いて、対応する募金先ユーザ端末４１〜４３がどのような活動を行ったかという活動報告を募金先ユーザ端末４1〜４３から受け取り、募金者ユーザマイページ３１〜３３に送信する（フローＤ）。
【００２９】
図７は本発明の実施の形態に係る運営サイトサーバが広告主に関して行うフローを示す図である。同図において、運営サイトサーバ１は、運営サイトサーバ１に掲載希望の広告主から広告情報を受け取り、信頼性と妥当性の審査を行う（フローＡ）。そして、妥当と判断した場合、運営サイトサーバ１に掲載する広告主として採用し、受け取った広告情報を基に広告主バナーを作成する（フローＢ）。
更に、広告主から掲載する代わりとして、募金を行った募金者ユーザ端末２１〜２３へ提供する景品を預かる（フローＣ）。そして、募金を行ったユーザ端末２１〜２３が選択した広告主バナーの景品を運営サイトサーバ１が対応する募金者ユーザ端末２１〜２３へ送付する（フローＤ）。
【００３０】
図８は、本発明の実施の形態に係る募金者ユーザ端末２１〜２３が行うフローを示す図である。同図において、募金者ユーザ端末２１〜２３は、運営サイトサーバ１にアクセスし、募金先ユーザマイページ５１〜５３を閲覧し、様々な募金団体の存在と各々の活動内容等の情報を得、自分の募金したい団体があった場合、図３に示すような個人情報を送付する。図３の例では、日本太郎（氏名）、○年○月○日生まれ（生年月日）を示す（フローＡ）。そして、運営サイトサーバ１より募金ポイントを購入し（フローＢ）、図２における新たな希望募金先へ希望募金先名、希望募金ポイントを入力する（フローＣ）。ここで、対応する募金先ユーザマイページ５１〜５３に記載されている希望募金総額と募集有効期限との情報が一致した場合、運営サイトサーバ１によって、希望募金先ユーザ端末４１〜４３への募金ポイントが徴収される。更に、希望募金先ユーザ端末４１〜４３へ確定募金が送付された後、確定募金を受け取った募金先ユーザ端末４１〜４３がどのように確定募金を用いて活動を行ったかという活動報告を運営サイトサーバ１から受信し（フローＤ）、自らの行った募金が募金先ユーザ端末によってどのように用いられたか明瞭に把握することができる。そして、運営サイトサーバ１に掲載された希望する広告主バナー６１〜６３を選択し、広告主からの景品を獲得することで、また募金を行おうというインセンティブにつながる（フローＥ）。
【産業上の利用可能性】
【００３１】
本発明の募金システムは、インターネットを介して多数の募金団体の情報を得ることができ、信頼性が高いため、募金活動に関心のある人に手軽に、積極的に活用され、社会に募金活動がより拡大する可能性がある。
【符号の説明】
【００３２】
１  運営サイトサーバ
２１〜２３  募金者ユーザ端末
３１〜３３  募金者ユーザマイページ
４１〜４３  募金先ユーザ端末
５１〜５３  募金先ユーザマイページ
６１〜６３  広告主バナー
【図１】
2015162007.tif 000003
【図２】
2015162007.tif 000004
【図３】
2015162007.tif 000005
【図４】
2015162007.tif 000006
【図５】
2015162007.tif 000007
【図６】
2015162007.tif 000008
【図７】
2015162007.tif 000009
【図８】
2015162007.tif 000010